(57)【要約】【課題】  クサビを用いることなく床板支持部材に対する床板部材の高さを調整可能にしして、床材に生じる床鳴りや不陸等を解消させる床レベル調整金具を提供する。【解決手段】  床板支持部材１１の側面に取り付けられる第１金具１３と、床板部材１２の下面に取り付けられる第２金具１４と、一対のナット部材１５ａ，１５ｂとからなり、第１金具１３は、床板支持部材１１の側面に固定される第１プレート部１６と、第１プレート部１６から側方に突出するボルト支持台１８とからなり、第２金具１４は、床板部材１２の下面に固定される第２プレート部１９と、第２プレート部１９から下方に突出するボルト部２１とからなり、ナット部材１５ａ，１５ｂは、ボルト部２１の雄ネジ部２０のボルト支持台１８を挟んだ両側に螺着され、ボルト支持台１８に密着させつつ例えば上方ナット部材１５ａを回転させることにより、床板部材１２の高さを調整する。【選択図】      図１
2006097403.tif 000002
【特許請求の範囲】
【請求項１】
土台、大引き、根太、梁等の床板支持部材の側面に沿って取り付けられる第１金具と、床板、床パネル、捨合板等の床板部材の下面に沿って取り付けられる第２金具と、一対のナット部材とからなり、
前記第１金具は、前記床板支持部材の側面に固定される第１プレート部と、該第１プレート部から側方に突出して設けられ、上下に貫通するボルト挿通穴を備えるボルト支持台とによって構成され、
前記第２金具は、前記床板部材の下面に固定される第２プレート部と、該第２プレート部から下方に突出して設けられ、雄ネジ部が前記ボルト挿通穴に挿通配置されるボルト部とによって構成され、
前記一対のナット部材は、前記第２金具の雄ネジ部の、前記第１金具のボルト支持台を挟んだ両側に螺着され、前記ボルト支持台に密着させつつ前記一対のナット部材のいずれか一方を回転させることにより、前記床板部材を上方又は下方に移動させて高さを調整する床レベル調整金具。
【請求項２】
前記第１プレート部には、上下方向に目盛りが描かれており、前記第２プレート部には、下方に突出して前記目盛りに沿って延設する目盛り板が設けられており、これらの目盛りや目盛り板によって高さの調整量を読取り可能とした請求項１記載の床レベル調整金具。
【発明の詳細な説明】
【技術分野】
【０００１】
本発明は、床レベル調整金具に関し、特に床板部材を上方又は下方に移動させて高さを調整する床レベル調整金具に関する。
【背景技術】
【０００２】
木造住宅建築物の床材は、例えば布基礎等のコンクリート基礎の天端面に設置される土台や、土台の間に架設される大引き、或いはこれらの上方に設けられる根太等を床板支持部材として、床板、床パネル、捨合板等の床板部材を敷設すると共に、これの上面に床仕上げ材等を取り付けることによって構成される。また、床材の床レベルは、コンクリート基礎の天端面の施工精度による影響を受ける他、床板支持部材や床板部材の寸法精度や乾燥収縮等による影響を受けることになり、これらは床材に生じる床鳴りや不陸等の大きな要因となっている。特に、近年、床暖房を採用する建築物が増えており、暖房を稼働した際の床鳴りや、床継手における隙間の発生等が問題となっている。
【０００３】
床材の床レベルの調整方法としては、基礎と土台との間の隙間や、土台、大引き、根太、梁等の床板支持部材と床板、床パネル、捨合板等の床板部材との間の隙間にクサビを打ち込むことによる方法が一般的に知られているが（例えば、特許文献１参照）、使用されるクサビの形状寸法やこれの打ち込み深さ等は、作業員の経験と感に任されていることが多く、クサビの打ち込み方次第では、打ち込んだクサビの周囲に新たな隙間が生じて不良箇所が拡大する場合があると共に、１度の補修では床鳴りや不陸等の発生を解消することができず、２度、３度と補修を繰り返す必要を生じる場合があった。また一旦打ち込んだクサビを引き抜くことは困難である。
【特許文献１】特許第３４６６８５９号公報
【発明の開示】
【発明が解決しようとする課題】
【０００４】
これに対して、特許文献１には、コンクート基礎に対する土台の高さを、クサビを用いることなく簡単な作業によって定量的に調整できるようにした技術が開示されているが、土台の高さを調整しただけでは、例えば床板支持部材や床板部材の寸法誤差や乾燥収縮等を原因として床材に生じる床鳴りや不陸等の不具合を十分に解消することは困難である。
【０００５】
本発明は、このような従来の課題に着目してなされたものであり、クサビを用いることなく簡単な作業によって床板支持部材に対する床板部材の高さを調整することを可能にして、床材に生じる床鳴りや不陸等の不具合を効果的に解消させることのできる床レベル調整金具を提供することを目的とする。
【課題を解決するための手段】
【０００６】
本発明は、土台、大引き、根太、梁等の床板支持部材の側面に沿って取り付けられる第１金具と、床板、床パネル、捨合板等の床板部材の下面に沿って取り付けられる第２金具と、一対のナット部材とからなり、前記第１金具は、前記床板支持部材の側面に固定される第１プレート部と、該第１プレート部から側方に突出して設けられ、上下に貫通するボルト挿通穴を備えるボルト支持台とによって構成され、前記第２金具は、前記床板部材の下面に固定される第２プレート部と、該第２プレート部から下方に突出して設けられ、雄ネジ部が前記ボルト挿通穴に挿通配置されるボルト部とによって構成され、前記一対のナット部材は、前記第２金具の雄ネジ部の、前記第１金具のボルト支持台を挟んだ両側に螺着され、前記ボルト支持台に密着させつつ前記一対のナット部材のいずれか一方を回転させることにより、前記床板部材を上方又は下方に移動させて高さを調整する床レベル調整金具を提供することにより、上記目的を達成したものである。
【０００７】
また、本発明の床レベル調整金具によれば、前記第１プレート部には、上下方向に目盛りが描かれており、前記第２プレート部には、下方に突出して前記目盛りに沿って延設する目盛り板が設けられており、これらの目盛りや目盛り板によって高さの調整量を読取り可能となっていることが好ましい。
【発明の効果】
【０００８】
本発明の床レベル調整金具によれば、クサビを用いることなく簡単な作業によって床板支持部材に対する床板部材の高さを調整することを可能にして、床材に生じる床鳴りや不陸等の不具合を効果的に解消させることができる。
【発明を実施するための最良の形態】
【０００９】
本発明の好ましい一実施形態に係る床レベル調整金具１０は、図１に示すように、例えば床板支持部材としての土台１１と、土台１１の上面に直接敷設された床板部材としての床板１２との間に介在して取り付けられ、土台１１に対する床板１２の高さを調整して、床材に生じる床鳴りや不陸等の不具合を解消するために採用されるものである。すなわち、床板１２やこれの上面に取り付けられる床仕上材（図示せず。）等によって構成される床材は、土台１１や床板１２の寸法誤差や、乾燥収縮による歪みや反り等を原因として、床鳴りや不陸等の不具合を生じる場合があるため、本実施形態の床レベル調整金具１０は、床板１２や床材の床レべルを簡易且つ定量的に調整して、これらの不具合を効果的に解消できるようにするものである。
【００１０】
そして、本実施形態の床レベル調整金具１０は、図２及び図３にも示すように、土台１１の側面に沿って取り付けられる第１金具１３と、床板１２の下面に沿って取り付けられる第２金具１４と、一対のナット部材１５ａ，１５ｂとからなり、第１金具１３は、土台１１の側面に固定される第１プレート部１６と、第１プレート部１６から側方に突出して設けられ、上下に貫通するボルト挿通穴１７を備えるボルト支持台１８とによって構成され、第２金具１４は、床板１２の下面に固定される第２プレート部１９と、第２プレート部１９から下方に突出して設けられ、雄ネジ部２０がボルト挿通穴１７に挿通配置されるボルト部２１とによって構成される。また一対のナット部材１５ａ，１５ｂは、第２金具１４の雄ネジ部２０の、第１金具１３のボルト支持台１８を挟んだ両側に螺着され、ボルト支持台１８に密着させつつ一対のナット部材１５ａ，１５ｂのいずれか一方を回転させることにより、床板１２を上方又は下方に移動させて高さを調整するようになっている。
【００１１】
また、本実施形態によれば、第１金具１３の第１プレート部１６には、上下方向に目盛り２２が描かれており、第２金具１４の第２プレート部１９には、下方に突出して目盛り２２に沿って延設する目盛り板２３が設けられており、これらの目盛り２２や目盛り板２３によって高さの調整量を読取り可能となっている。
【００１２】
第１金具１３の第１プレート部１６は、好ましくは例えば縦横５０〜１００ｍｍ程度、厚さ２．３〜６．０ｍｍ程度の大きさの正方形又は矩形の金属プレートであって、固定用のビス孔２４が複数箇所に穿孔形成されている。これらのビス孔２４を介して土台１１の側面に向けてビス２５をねじ込むようにして打ち込むことにより、土台１１の側面に沿った所望の位置に、第１金具１３を強固且つ容易に取り付けることができるようになっている。
【００１３】
また、第１プレート部１６の下部における中央部分には、例えば当該第１プレート部１６に溶接等によって一体接合されて、ボルト支持台１８が、側方に張り出すように突出して設けられている。ボルト支持台１８は、好ましくは例えば縦横３０〜７０ｍｍ程度、厚さ４．５〜１２ｍｍ程度の大きさの正方形又は矩形の金属片からなり、床板１２と略平行に配置されるように取り付けられると共に、これの中央には、第２金具１４のボルト部２１を挿通可能な大きさの円形のボルト挿通穴１７（図２参照）が、上下に貫通して開口形成されている。
【００１４】
さらに、第１プレート部１６には、これの上縁両側部から各々下方に向かって上下方向に目盛り２２が描かれている。なお、第１プレート部材１６には、これらに加えて、仮止め用爪２７等を適宜設けておくこともできる。
【００１５】
第２金具１４の第２プレート部１９は、好ましくは例えば縦横５０〜１００ｍｍ程度、厚さ２．３〜６．０ｍｍ程度の大きさの正方形又は矩形の金属プレートであって、固定用のビス孔２４が複数箇所に穿孔形成されている。これらのビス孔２４を介して床板１２の下面に向けてビス２５をねじ込むようにして打ち込むことにより、床板１２の下面に沿った所望の位置に、第２金具１４を強固且つ容易に取り付けることができるようになっている。
【００１６】
また、第２プレート部１９の下面中央部には、例えば当該第２プレート部１９に溶接等によって一体接合されて、ボルト部２１が下方に突出して設けられている。ボルト部２１は、好ましくは例えば直径９〜１６ｍｍ程度、長さ９０〜１３０ｍｍ程度の大きさの金属ロッドであって、下方の略２／３の領域が雄ネジ部２０となっている。そして、第１金具１３が土台１１の側面に固定され、第２金具１４が床板１２の下面に固定されて床レベル調整金具１０が設置された際に、ボルト部２１の雄ネジ部２０をボルト支持台１８のボルト挿通穴１７に挿通することができる位置に、第２金具１４が取り付けられることになる。
【００１７】
さらに、第２プレート部１９には、土台１１側の側縁の両端部分から各々下方にＬ字状に折れ曲がるように延設して、第１プレート部１６の各目盛り２２に沿って配置される目盛り板２３が設けられている。目盛り板２３には、計測目盛り２６が描かれており（図２参照）、この計測目盛り２６によって第１プレート部１６の目盛り２２を読み取ることにより、高さの調整量を容易に確認することができるようになっている。なお、第２プレート部１９には、これらに加えて、仮止め用爪２７等を適宜設けておくこともできる。
【００１８】
一対のナット部材１５ａ，１５ｂは、いずれも、ボルト部２１の雄ネジ部２０と螺合可能な雌ネジ孔を備える汎用のナット部材を用いることができる。床レベル調整金具１０の取付け時において、上方ナット部材１５ａは第１金具１３のボルト支持台１８を挟んだ上方に螺着され、下方ナット部材１５ｂはボルト支持台１８を挟んだ下方に螺着されることになる。なお、下方ナット部材１５ｂは、床レベル調整金具１０による床板１２の高さの調整が終了する前には、ボルト部２１の雄ネジ部２０に螺着されている必要は必ずしもなく、例えば上方ナット部材１５ａによって床板１２を上昇させる調整を終了した後に、当該上方ナット部材１５ａの緩みを防止するために、上方ナット部材１５ａとの間にボルト支持台１８を挟み込むようにして下方ナット部材１５ｂを締着することもできる。
【００１９】
そして、上述の構成を備える本実施形態の床レベル調整金具１０によれば、以下のような作業によって容易且つ定量的に床板１２の床レベルを調整して、熟練の作業員でなくても、床材の床鳴りや不陸等の不具合を解消することが可能になる。
【００２０】
すなわち、例えば木造住宅建築物の建築後に、床材に床鳴りや不陸等の不具合が生じた際に、当該床材の床レベルを、例えばロボライン等の測定機器により事前に計測して確認し、床板１２の床レベルを調整すべき箇所や当該調整箇所における高さの調整量等を算定して、予め調整データとして作成しておく。そして、作成した調整データに基づいて、作業員が例えば床下に潜り込んで各調整箇所に移動し、本実施形態の床レベル調整金具１０を取り付けて床板１２の高さの調整を行う。
【００２１】
各調整箇所で床板１２の高さを調整するには、例えば、まず第１金具１３のボルト支持台１８のボルト挿通穴１７に、第２金具１４のボルト部２１の、上方ナット部材１５ａを螺着した雄ネジ部２０を挿通して、床レベル調整金具１０をセットする。なお、この際に、ナット部材１５ａは、雄ネジ部２０の上端側にできるだけ寄せておくことが好ましい。
【００２２】
次に、第１金具１３を、土台１１の側面の所定の位置にビス２５を用いて取り付ける。第１金具１３を取り付けたら、上方ナット部材１５ａを回転させてボルト支持台１８まで下方に移動させると共に、さらに上方ナット部材１５ａを回転させて第２金具１４の第２プレート部１９を上方に移動させ、当該第２プレート部１９の上面を床板１２の下面に沿って接地させる。
【００２３】
第２プレート部１９を床板１２下面に接地させた後、ボルト支持台１８に密着させつつ上方ナット部材１５ａをさらに回転させれば、第２プレート部１９は床板１２を押し上げるようにして上昇することになるので、かかる上昇量を例えば目盛り２２や目盛り板２３によって読取って、調整データに示された所定の床レベルまで、床板１２を上方に移動させることが可能になる。
【００２４】
そして、床板１２を所定の床レベルまで移動させたら、第２金具１４の第２プレート部１９を、床板１２の下面にビス２５を用いて固定すると共に、下方ナット部材１５ｂをボルト支持台１８の下方から締着して、上方ナット部材１５ａの緩みを防止することにより、各調整箇所において床板１２の床レベルが精度良く調整された、調整後の状態を強固に保持することになる。
【００２５】
また、例えば床板１２が上方に浮いている場合には、例えば上述の状態から上方ナット部材１５ａを緩める方向に回転させて上方に移動させ、ボルト支持台１８から離間させると共に、下方ナット部材１５ｂを締め付ける方向に回転させれば、第２金具１４の第２プレート部１９は、これが固定される床板１２と共に、ボルト支持台１８に引き寄せられるようにして下方に移動することになるので、かかる下降量を例えば目盛り２２や目盛り板２３によって読取って、調整データに示された所定の床レベルまで、床板１２を下方に移動させることが可能になる。また床板１２を所定の床レベルまで下降させたら、上方ナット部材１５ａをボルト支持台１８まで締着し直すことにより、下方ナット部材１５ｂの緩みを防止して、床板１２の床レベルが精度良く調整された調整後の状態を強固に保持することになる。
【００２６】
したがって、本実施形態の床レベル調整金具によれば、クサビを用いることなく簡単な作業によって土台１１に対する床板１２の高さを調整することを可能にして、床材に生じる床鳴りや不陸等の不具合を効果的に解消させることが可能になる。
【００２７】
なお、本発明は上記実施形態に限定されることなく種々の変更が可能である。例えば、本発明の床レベル調整金具は、土台等を床板支持部材として設けられた１階部分の床板部材の高さを調整する場合の他、梁等を床板支持部材として設けられた、２階部分やさらに上階部分の床板部材の高さを調整するべく用いることもできる。また、床板部材の高さ調整量は、目盛りや目盛り板によることなく、例えばナット部材の回転数を数える等、その他の手段によって確認することもできる。さらに、第１プレート部、第２プレート部、ボルト支持台は、正方形又は矩形のものである必要は必ずしもなく、例えば円形、楕円形、三角形等、その他の種々の形状を備えていても良い。
【００２８】
また、第１金具は、第１プレート部にボルト支持台を溶接等によって一体接合して形成されたものである必要は必ずしもなく、例えば図４及び図５に示すように、所定の形状に切断加工したプレート部材２８に折り曲げ加工を施して、第１プレート部１６とボルト支持台１８とからなる第１金具１３とすることもできる。さらに、ボルト支持台は、板状の部分である必要は必ずしもなく、六面体形状やドラム形状等、その他の形状のものであっても良い。
【図面の簡単な説明】
【００２９】
【図１】本発明の一実施形態に係る床レベル調整金具を用いて床板部材の高さを調整する状況を示す斜視図である。
【図２】本発明の一実施形態に係る床レベル調整金具の構成を説明する分解斜視図である。
【図３】本発明の一実施形態に係る床レベル調整金具を用いて床板部材の高さを調整する状況を示す側面図である。
【図４】第１金具の他の形態を例示する説明図である。
【図５】第１金具の他の形態を例示する斜視図である。
【符号の説明】
【００３０】
１０  床レベル調整金具
１１  土台（床板支持部材）
１２  床板（床板部材）
１３  第１金具
１４  第２金具
１５ａ  上方ナット部材
１５ｂ  下方ナット部材
１６  第１プレート部
１７  ボルト挿通穴
１８  ボルト支持台
１９  第２プレート部
２０  雄ネジ部
２１  ボルト部
２２  目盛り
２３  目盛り板
２４  ビス孔
２５  ビス
２６  計測目盛り
２７  仮止め用爪
２８  プレート部材
【図１】
2006097403.tif 000003
【図２】
2006097403.tif 000004
【図３】
2006097403.tif 000005
【図４】
2006097403.tif 000006
【図５】
2006097403.tif 000007